(57)【要約】【課題】  現場での取付位置測定を行うことなく、補強板と建具との正確な位置合わせを実現し、建具がしっかりと付された良好な間仕切壁を簡易な施工作業で実現することのできる、壁パネルおよび壁パネル施工方法を提供する。【解決手段】  枠体１１とその両面の石膏ボード１２とで構成されており、石膏ボード１２表面に建具を取り付ける場合にその石膏ボード１２裏面に補強板１３を取り付ける必要のある壁パネルであって、片側の石膏ボード１２が上下に複数分割され、且つその分割境界線１２１がボード裏面に補強板の取付基準線として、ボード表面に建具の取付領域線として目視できるよう表れたものとする。【選択図】図１
2006037495.tif 000002
【特許請求の範囲】
【請求項１】
枠体とその両面の石膏ボードとで構成されており、石膏ボード表面に建具を取り付ける場合にその石膏ボード裏面に補強板を取り付ける必要のある壁パネルであって、片側の石膏ボードが上下に複数分割され、且つその分割境界線がボード裏面に補強板の取付基準線として、ボード表面に建具の取付領域線として目視できるよう表れたものとなっていることを特徴とする壁パネル。
【請求項２】
補強板が分割境界線に揃う形状となっていることを特徴とする請求項１記載の壁パネル。
【請求項３】
枠体の片側面に石膏ボードを取り付け、その石膏ボード表裏面に建具及び補強板を取り付ける壁パネル施工方法であって、上下に複数分割され、且つその分割境界線がボード裏面に補強板の取付基準線として、ボード表面に建具の取付領域線として目視できるよう表れた石膏ボードを用い、この石膏ボードを枠体の片側面に取り付けた後、石膏ボード裏面に表れている前記分割境界線を基準に補強板を取り付け、石膏ボード表面に表れている前記分割境界線で示される取付領域に建具を取り付けることを特徴とする壁パネル施工方法。
【発明の詳細な説明】
【技術分野】
【０００１】
本願発明は、間仕切壁を構成する壁パネルへの手すり等の建具の取付けに有用な、枠体と石膏ボードと補強板で構成される壁パネルに関するものであり、さらにその壁パネルの施工方法に関するものである。
【背景技術】
【０００２】
従来、たとえば図２に例示したように、住宅の居室２０と居室２０の間や居室２０と非居室３０（廊下等）の間、非居室３０と非居室３０の間に間仕切壁１０を設けることがあり、間仕切壁１０は、たとえば図３に例示したように、枠体１１の両面に石膏ボード１２を貼り付けた壁パネル１によりしばしば構成される。
【０００３】
この間仕切壁１０に手すり等の建具を取り付ける場合には、予め取付位置の壁パネル１内に補強板１３を設けておくことが考慮される。この場合、枠体１１の片側面に一枚の石膏ボード１２を固着した後、その反対面において補強板１３の取付け高さを測り、補強板１３を取り付け、もう一枚の石膏ボード１２を固着して壁パネル１を完成させる。そして、この状態では補強板１３の位置が分からないので、石膏ボード１２の表面にて取付け高さを測り直し、目印を付け、建具を取り付けるようにしている。
【０００４】
なお、特許文献１には、枠体と石膏ボードでなる壁パネルについての記載があり、特許文献２には、間仕切壁ではないがパネル内に補強板を取り付けることが記載されている。
【特許文献１】特開平１１−３６４９０号公報
【特許文献２】特開平８−３５２８５号公報
【発明の開示】
【発明が解決しようとする課題】
【０００５】
しかしながら、上記のとおり、建具を取り付けるための補強板１３の取付位置を二度も測定しなければならず、施工効率が悪いといった問題がある。
【０００６】
そこで、以上のとおりの事情に鑑み、本願発明は、補強板１３の取付位置を現場にて測定することなく、取付位置を明確にし、手すり等の建具の取付作業をより簡易化することができる壁パネルおよび壁パネル施工方法を提供することを課題としている。
【課題を解決するための手段】
【０００７】
本願発明は、上記の課題を解決するものとして、第１には、枠体とその両面の石膏ボードとで構成されており、石膏ボード表面に建具を取り付ける場合にその石膏ボード裏面に補強板を取り付ける必要のある壁パネルであって、片側の石膏ボードが上下に複数分割され、且つその分割境界線がボード裏面に補強板の取付基準線として、ボード表面に建具の取付領域線として目視できるよう表れたものとなっていることを特徴とする。
【０００８】
第２には、本願発明は、補強板が分割境界線に揃う形状となっていることを特徴とする。
【０００９】
第３には、本願発明は、枠体の片側面に石膏ボードを取り付け、その石膏ボード表裏面に建具及び補強板を取り付ける壁パネル施工方法であって、上下に複数分割され、且つその分割境界線がボード裏面に補強板の取付基準線として、ボード表面に建具の取付領域線として目視できるよう表れた石膏ボードを用い、この石膏ボードを枠体の片側面に取り付けた後、石膏ボード裏面に表れている前記分割境界線を基準に補強板を取り付け、石膏ボード表面に表れている前記分割境界線で示される取付領域に建具を取り付けることを特徴とする。
【発明の効果】
【００１０】
上記第１の発明によれば、石膏ボード表裏面での建具及び補強板の取付位置を施工現場にて測定することなく、それぞれ正確に対応させた位置を一目瞭然とすることができ、手すり等の建具の取付作業をより簡易化することができる壁パネルが実現される。
【００１１】
上記第２の発明によれば、上記第１の発明と同様な効果が得られ、補強板が分割境界線に揃う形状となっていることで、石膏ボード裏面にて分割境界線間の全領域を補強板で覆うことになり、よって石膏ボード表面にてその領域内であればどこにでも建具を取り付けることが可能となり、より容易な施工を実現できる。
【００１２】
上記第３の発明によれば、上記第１の発明と同様な効果が得られる壁パネル施工方法が実現される。
【発明を実施するための最良の形態】
【００１３】
図１は、本願発明の一実施形態を示したものである。
【００１４】
この図１に例示したように、本願発明では、壁パネル１を構成する片側の石膏ボード１２を、上下に複数分割され、且つその分割境界線１２１がボード裏面に補強板１３の取付基準線として、ボード表面に建具（図示なし）の取付領域線として目視できるよう表れたものとしている。
【００１５】
これにより、石膏ボード１２を枠体１１に固着した後、補強板１３を石膏ボード１２の裏面に表れている分割境界線１２１を基準に取り付けることができ、さらに他方の石膏ボード１２を枠体１１に固着して壁パネル１を完成させた後でも、分割状の石膏ボード１２の表面に表れている分割境界線１２１で示される取付領域に手すり等の建具を取り付けることができる。分割境界線１２１は表裏で対応したものとなっているため、裏面の補強板位置と表面の建具位置もちょうど対応することになり、建具のネジや釘等を石膏ボード１２の表面から貫通させて裏面の補強板１３にねじ込んだり打ち込んだりできる。
【００１６】
ここで、たとえば分割数を３分割にする、つまり分割ボード部分を３個にすると、分割境界線１２１は上下２本形成される。この場合、補強板１３を、その上辺及び下辺が上下の分割境界線１２１に揃うように形成したものとすることで、上下２本の分割境界線１２１で挟まれた全領域を補強板１３が覆うことになるため、その領域は石膏ボード１２表面にて建具取付領域となり、その領域内であれば建具をしっかりと取り付けられることが一目瞭然となる。すなわち、表面の分割境界線１２１は補強板１３が取り付けられた領域を示し、これが建具取付領域となるので、分割境界線１２１を目安にして建具の取付作業を容易に行えるのである。
【００１７】
もちろん、上下の分割境界線１２１にちょうど揃う形状の補強板１３としなくても、分割境界線１２１をはみ出す大きさの補強板１３としたり、ある程度の大きさを持った補強板１３を少なくとも一方の分割境界線１２１に揃えて取り付けたりしてもよい。これらの場合では、分割境界線１２１をおおよその位置決め目安とすることができ、補強板１３の製造を高い精度で要求する必要がなく、製造管理がし易い。
【００１８】
またもちろん、分割数は３分割より多くてもよいことは言うまでもなく、必要に応じて決めればよい。ただし、３分割の場合の方が、中央の分割ボード部分が取付領域であることが一目瞭然であるので、より分かり易い。
【００１９】
石膏ボード１２の分割については、一枚の石膏ボード１２を物理的に分離した形態や、一枚の石膏ボード１２に罫書きして分割したように見せる形態を考慮できる。前者の場合では、たとえば、分割数に合わせて複数枚の小石膏ボードを互いに上下方向に当接させて一体構成にしたものとし、中央の小石膏ボードと上部の小石膏ボード及び下部の小石膏ボードとの間の当接線が分割境界線１２１となり、それが裏側にて補強板取付基準線として、表側にて建具取付領域線として表れたままとする。
【００２０】
上記のとおりの石膏ボード１２を用いた施工は、たとえば次のように行う。まず、枠体１１の片側面に分割状の石膏ボード１２を取り付けた後、その裏面に補強板１３を取り付け、さらに枠体１１の反対面に別の石膏ボード１２を取り付ける。そして補強板１３を取り付けた石膏ボード１２の表面に建具を取り付ける。このとき、分割状の石膏ボード１２の表裏面には分割境界線１２１が表れているので、補強板１３は裏面の分割境界線１２１、建具は表面の分割境界線１２１をそれぞれ目安に取り付ければよく、これにより従来のように取付位置を現場にて何度も測定することなく、補強板１３と建具との正確な位置合わせを行うことができ、建具がしっかりと付された良好な間仕切壁を実現できるようになる。
【図面の簡単な説明】
【００２１】
【図１】本願発明の一実施形態について説明するための斜視図である。
【図２】間仕切壁の施工例について説明するための図である。
【図３】間仕切壁を構成する従来の壁パネルについて説明するための斜視図である。
【符号の説明】
【００２２】
１  壁パネル
１１  枠体
１２  石膏ボード
１２１  分割境界線
１３  補強板
１０  間仕切壁
２０  居室
３０  非居室
【図１】
2006037495.tif 000003
【図２】
2006037495.tif 000004
【図３】
2006037495.tif 000005